(57)【要約】【課題】折畳み式運搬用容器を手で持って運ぶときに被覆位置の帯板が開放位置に変位することを抑制可能とした折畳み式運搬用容器を提供する。【解決手段】各側壁が折畳み可能に構成された折畳み式運搬用容器において、長側壁の延在方向に延びる帯板２０であって、延在方向に延びる回動軸を有した帯板回動部を介して長側壁に回動可能に接続されて、内方に配向して本体の開口の一部を被覆する被覆位置と、本体の上方に配向して開口を開放する開放位置とに変位する帯板２０を備え、各短側壁は、延在方向の段差を有した突起３３を備え、帯板２０は、延在方向の両端に、延在方向の段差を有した突起４４を備え、帯板２０が被覆位置に位置し、かつ、短側壁を本体の内方に撓ませる外力が作用する状態で、突起４４は、突起３３の下方に位置する。【選択図】図６
2018177239.tif 000002
【特許請求の範囲】
【請求項１】
矩形状の周縁を有した底壁と、前記周縁における一対の第１辺上に立設された第１側壁と、前記周縁における一対の第２辺上に立設された第２側壁とを備える有底箱状を有した本体を備え、各側壁の下端において前記側壁を前記本体の内方に折畳むための側壁回動部を介して前記各側壁が折畳み可能に構成された折畳み式運搬用容器であって、
前記第１辺の延在方向に延びる帯板であって、前記延在方向に延びる回動軸を有した帯板回動部を介して前記第１側壁に回動可能に接続されて、前記内方に配向して前記本体の開口の一部を被覆する被覆位置と、前記本体の上方に配向して前記開口を開放する開放位置とに変位する前記帯板を備え、
前記帯板が前記被覆位置に位置する状態で、前記帯板は、前記各側壁の上端よりも下方に位置し、
前記各第２側壁には、前記内方に突き出た係合部を備え、
前記帯板には、前記本体の外方に突き出た被係合部を備え、前記帯板が前記被覆位置に位置し、かつ、前記第２側壁を前記本体の内方に撓ませる外力が作用する状態で、前記被係合部は、前記係合部の下方に位置する部分を備える
折畳み式運搬用容器。
【請求項２】
前記各第２側壁は、前記第１辺の前記延在方向の段差を有した嵌合部をさらに備え、
前記帯板は、前記第１辺の前記延在方向の両端に、前記嵌合部と嵌合可能な被嵌合部を備え、前記被嵌合部は、前記被係合部に対する前記帯板回動部側に位置し、前記帯板が前記被覆位置に位置する状態で、前記嵌合部と嵌合する
請求項１に記載の折畳み式運搬用容器。
【請求項３】
前記各第２側壁の前記上端は、下方に向けて窪む受入部をさらに備え、
前記帯板は、前記延在方向の両端に、前記延在方向に突き出る嵌込部をさらに備え、当該嵌込部は、前記帯板が前記被覆位置に位置する状態で前記受入部に嵌り、
前記受入部は、前記受入部の底面から上方に向けて突き出た凸部を備え、
前記嵌込部は、前記嵌込部の底面に嵌込開口を有した空間を区画し、前記嵌込部が前記受入部に嵌ることに伴い、前記空間に前記凸部を収容し、
前記係合部は、前記凸部において前記内方に突き出た突起であり、
前記被係合部は、前記嵌込開口において当該嵌込開口の内方に突き出た突起である
請求項１または２に記載の折畳み式運搬用容器。
【発明の詳細な説明】
【技術分野】
【０００１】
本発明は、折畳むことを可能に構成された折畳み式運搬用容器に関する。
【背景技術】
【０００２】
この種の折畳み式運搬用容器は、例えば、有底箱状を有する本体を備える。本体は、矩形板状を有する底壁と、底壁の周縁に立設された相互に対向する一対の短側壁と、底壁の周縁に立設された相互に対向する一対の長側壁とを備える。各短側壁と各長側壁とは、本体の内方に側壁を折畳むための側壁回動部を介して、折畳み可能に構成されている。折畳み式運搬用容器は、本体の開口を被覆するための帯板をさらに備える。帯板は、本体の開口に形成され、本体の開口の一部を帯板が被覆する被覆位置と、本体の上方に配向して本体の開口を開放する開放位置とに変位するための帯板回動部を介して、短側壁に回動可能に接続されている（例えば、特許文献１を参照）。
【先行技術文献】
【特許文献】
【０００３】
【特許文献１】特開２００３−２０５９３８号公報
【発明の概要】
【発明が解決しようとする課題】
【０００４】
内容物を収容した本体の各長側壁を把持して、この状態で折畳み式運搬用容器を手で持って運ぶとき、本体に収容された内容物の荷重は、本体に捻れを生じさせて、各長側壁を本体の内方に撓ませるように、各長側壁を変形させる場合がある。各長側壁がこのように変形すると、一対の長側壁間での距離は、短側壁の近傍においても縮小し、結果として、帯板の長さを縮小させるような外力が、被覆位置に位置する帯板を開放位置に回動させてしまう。こうした帯板の回動は、各長側壁が変形しやすい折畳み式運搬用容器、すなわち、各長側壁の肉厚が薄い折畳み式運搬用容器において、特に起こりやすい課題でもある。
本発明は、折畳み式運搬用容器を手で持って運ぶときに被覆位置の帯板が開放位置に変位することを抑制可能とした折畳み式運搬用容器を提供することを目的とする。
【課題を解決するための手段】
【０００５】
上記課題を解決するための折畳み式運搬用容器は、矩形状の周縁を有した底壁と、前記周縁における一対の第１辺上に立設された第１側壁と、前記周縁における一対の第２辺上に立設された第２側壁とを備える有底箱状を有した本体を備え、各側壁の下端において前記側壁を前記本体の内方に折畳むための側壁回動部を介して前記各側壁が折畳み可能に構成された折畳み式運搬用容器である。この折畳み式運搬用容器は、前記第１辺の延在方向に延びる帯板であって、前記延在方向に延びる回動軸を有した帯板回動部を介して前記第１側壁に回動可能に接続されて、前記内方に配向して前記本体の開口の一部を被覆する被覆位置と、前記本体の上方に配向して前記開口を開放する開放位置とに変位する前記帯板を備え、前記帯板が前記被覆位置に位置する状態で、前記帯板は、前記各側壁の上端よりも下方に位置し、前記各第２側壁には、前記内方に突き出た係合部を備え、前記帯板には、前記本体の外方に突き出た被係合部を備え、前記帯板が前記被覆位置に位置し、かつ、前記第２側壁を前記本体の内方に撓ませる外力が作用する状態で、前記被係合部は、前記係合部の下方に位置する部分を備える。
【０００６】
上記構成によれば、第２側壁を本体の内方へ撓ませるような外力が、一対の第２側壁に作用するとき、帯板が備える被係合部の一部分は、第２側壁が備える係合部の下方に位置する。そのため、被覆位置に位置する帯板が、開放位置に向けて回動する前に、帯板が備える被係合部と、第２側壁が備える係合部とが係合して、帯板の回動が抑えられる。結果として、折畳み式運搬用容器を手で持って運ぶときに、被覆位置の帯板が開放位置に変位することが抑えられる。
【０００７】
上記折畳み式運搬用容器において、前記各第２側壁は、前記第１辺の前記延在方向の段差を有した嵌合部をさらに備え、前記帯板は、前記第１辺の前記延在方向の両端に、前記嵌合部と嵌合可能な被嵌合部を備え、前記被嵌合部は、前記被係合部に対する前記帯板回動部側に位置し、前記帯板が前記被覆位置に位置する状態で、前記嵌合部と嵌合する構成であってもよい。
【０００８】
上記構成によれば、折畳み式運搬用容器を手で持って運ぶとき、第２側壁が備える嵌合部と、帯板が備える被嵌合部とが嵌合して、帯板の回動がさらに抑えられる。なお、上述した外力による第２側壁間での距離の変化は、第１側壁に近い部位ほど小さく、すなわち、帯板回動部に近い部位ほど小さい。この点、嵌合部と被嵌合部との嵌合は、係合部と被係合部との係合よりも、帯板回動部の側で実現される。そのため、嵌合部と被嵌合部との嵌合は、第２側壁間での距離の変化などに対して、係合部と被係合部との係合よりも影響を受け難く、これらの嵌合を維持することが可能でもある。
【０００９】
上記折畳み式運搬用容器において、前記各第２側壁の前記上端は、下方に向けて窪む受入部をさらに備え、前記帯板は、前記延在方向の両端に、前記延在方向に突き出る嵌込部をさらに備え、当該嵌込部は、前記帯板が前記被覆位置に位置する状態で前記受入部に嵌り、前記受入部は、前記受入部の底面から上方に向けて突き出た凸部を備え、前記嵌込部は、前記嵌込部の底面に嵌込開口を有した空間を区画し、前記嵌込部が前記受入部に嵌ることに伴い、前記空間に前記凸部を収容し、前記係合部は、前記凸部において前記内方に突き出た突起であり、前記被係合部は、前記嵌込開口において当該嵌込開口の内方に突き出た突起であってもよい。
【００１０】
上記構成によれば、帯板が被覆位置に位置する状態では、第２側壁が備える受入部に、帯板が備える嵌込部が嵌る。帯板が備える嵌込部は、第１側壁の延在方向に突き出る形状を有し、第２側壁が備える受入部は、第２側壁の上端で下方に向けて窪む凹状を有する。そのため、帯板が備える嵌込部は、受入部と嵌込部との嵌合によって、第２側壁の上端に沿う方向、すなわち、第１側壁の延在方向と交差する方向で位置決めされる。そして、上述した係合部と被係合部とが、これら受入部と嵌込部とに含まれるため、係合部の位置と、被係合部の位置とは、第１側壁の延在方向と交差する方向でずれ難くなる。結果として、第１側壁の延在方向に係合部が変位することによる上述した効果を、より的確に得ることが可能ともなる。
【図面の簡単な説明】
【００１１】
【図１】折畳み式運搬用容器の斜視構造を示す斜視図。
【図２】帯板が開放位置に位置する折畳み式運搬用容器の斜視構造を示す斜視図。
【図３】長側壁、および、帯板の両端における平面構造を示す平面図。
【図４】短側壁の端を斜め上方から見た斜視構造を示す斜視図。
【図５】帯板の端を斜め下方から見た斜視構造を示す斜視図。
【図６】短側壁の突起と、帯板の突起との作用を示す断面図。
【図７】短側壁の突起と、帯板の突起との作用を示す作用図。
【図８】短側壁の嵌合部と、帯板の被嵌合部との作用を示す断面図。
【発明を実施するための形態】
【００１２】
図１から図８を参照して折畳み式運搬用容器の一実施形態を説明する。なお、以下の説明では、組み立てられた状態の折畳み式運搬用容器を基準として高さ方向、および、水平方向を規定している。
【００１３】
［本体１１］
図１が示すように、折畳み式運搬用容器を構成する本体１１は、有底長四角箱状を有している。本体１１は、矩形状の周縁を有した合成樹脂製の底壁１２を備える。底壁１２の周縁は、相互に対向するほぼ四角柱状を有した一対の長側支持辺１２Ｌと、相互に対向するほぼ四角柱状を有した一対の短側支持辺１２Ｓとを備える。本体１１は、一対の長側支持辺１２Ｌにおける上端に立設支持された合成樹脂製の一対の長側壁１３と、一対の短側支持辺１２Ｓにおける上端に立設支持された合成樹脂製の一対の短側壁１４とを備える。短側支持辺１２Ｓの高さは、短側壁１４の厚さとほぼ等しい。長側支持辺１２Ｌの高さは、短側壁１４の厚さと、長側壁１３の厚さとを加えた長さとほぼ等しい。
【００１４】
長側支持辺１２Ｌの上端、および、短側支持辺１２Ｓの上端の各々は、複数の側壁回動部１３Ｒ，１４Ｒを備える。長側壁１３の下端は、各側壁回動部１３Ｒを介して、本体１１の内方に回動可能に、すなわち、本体１１の内方に折畳み可能に、長側支持辺１２Ｌに軸着されている。短側壁１４の下端は、各側壁回動部１４Ｒを介して、本体１１の内方に回動可能に、すなわち、本体１１の内方に折畳み可能に、短側支持辺１２Ｓに軸着されている。長側支持辺１２Ｌは、第１辺の一例であり、短側支持辺１２Ｓは、第２辺の一例である。長側壁１３は、第１側壁の一例であり、短側壁１４は、第２側壁の一例である。
【００１５】
長側壁１３の延在方向の両端は、長側壁１３の延在方向に貫通する複数の組立孔部１３Ｈを備える。短側壁１４の長手方向の両端は、長側壁１３の延在方向に沿って外方に突き出た複数の組立突起１４Ｔを備える。短側壁１４の各組立突起１４Ｔは、長側壁１３の組立孔部１３Ｈに１つずつ嵌め込まれている。立設された各長側壁１３と、立設された各短側壁１４とは、組立孔部１３Ｈと組立突起１４Ｔとの嵌合と共に、本体１１の外方への回動が規制される。また、立設された各長側壁１３と、立設された各短側壁１４とは、組立孔部１３Ｈと組立突起１４Ｔとの嵌合の解除と共に、本体１１の内方に折畳まれる。
【００１６】
［帯板２０］
長側壁１３の上端は、下方に向けて切り欠いた凹状を有する複数の軸支部１３Ｓを備える。各軸支部１３Ｓは、長側壁１３の延在方向に所定の間隔を空けて並ぶ。各長側壁１３の上端は、別々の帯板２０と接続されている。帯板２０は、長側壁１３の延在方向に延びる帯状を有した帯板本体２１を備える。帯板本体２１の長手方向の長さは、一対の短側壁１４の外面間での距離とほぼ等しい。帯板本体２１の短手方向の長さは、一対の長側壁１３の内面間での距離の１／３よりも短い。
【００１７】
帯板２０は、帯板本体２１から突き出る複数の帯板回動部２２を備える。各帯板回動部２２は、長側壁１３の延在方向に所定の間隔を空けて並ぶ。各帯板回動部２２は、帯板本体２１の長手方向に延びる一方の端面から、長側壁１３の上端に向けて突き出る形状を有する。相互に隣り合う帯板回動部２２の間での距離は、相互に隣り合う軸支部１３Ｓの間での距離とほぼ等しい。
【００１８】
帯板本体２１の長手方向において、帯板回動部２２の幅は、軸支部１３Ｓの幅よりも短い。帯板本体２１の短手方向において、帯板回動部２２の幅は、軸支部１３Ｓの幅よりも長い。各帯板回動部２２は、帯板本体２１の長手方向に延びる回動軸２２Ａを備え、回動軸２２Ａは、長側壁１３の軸支部１３Ｓに軸支されている。帯板２０は、軸支部１３Ｓによる回動軸２２Ａの軸支を通じて、長側壁１３の上端に回動可能に接続される。
回動可能に構成された帯板２０は、本体１１の内方に配向して本体１１の開口の一部を被覆する被覆位置（図１が示す位置）と、本体１１の上方に配向して本体１１の開口を開放する開放位置（図２が示す位置）とに変位する。
【００１９】
図３は、折畳み式運搬用容器を上方から見た平面図であって、長側壁１３、および、一対の短側壁１４と共に帯板２０を示す図（左側半分）と、帯板２０の一部を取り除いて長側壁１３、および、短側壁１４のみを示す図（右側半分）を含む。
【００２０】
図３が示すように、帯板本体２１の長手方向の各端は、帯板本体２１の長手方向に突き出る１つの嵌込部４０を備える。各短側壁１４の上端は、下方に向けて切り欠いた凹状を有する１つの受入部３０を備える。受入部３０の高さは、軸支部１３Ｓの高さとほぼ同じであり、帯板本体２１の厚さよりも大きい。帯板２０が被覆位置に位置する状態で、受入部３０は、嵌込部４０を収容して、帯板２０が本体１１の内方へさらに回動することを規制する。また、帯板２０が被覆位置に位置する状態で、帯板２０の最上部位は、長側壁１３の上端よりも下方、かつ、短側壁１４の上端よりも下方に位置する。すなわち、帯板２０が被覆位置に位置する状態で、帯板２０は、本体１１の内方へさらに回動することを規制され、かつ、底壁１２と長側壁１３と短側壁１４とによって囲まれる空間の内部に位置する。そして、本体１１に他の運搬用容器の本体１１が積み重ねられた状態では、下側の折畳み式運搬用容器の帯板回動部２２が、上側の本体１１の底壁１２との間に隙間を有するため、帯板２０と帯板回動部２２とが積み重ねによって損傷することを防止することが可能となる。
【００２１】
［受入部３０］
図４は、短側壁１４の長手方向の端を斜め上方から見た斜視図であって、受入部３０の斜視構造を拡大して示す図である。
図４が示すように、受入部３０は、短側壁１４の上端を下方に向けて切り欠いた凹状を有する。受入部３０は、短側壁１４の長手方向に並ぶ一対の溝側面に挟まれた溝である。受入部３０の底面は、上方に向けて突き出た１つの凸部３１を備える。凸部３１は、短側壁１４の内面と対向する方向から見て、ほぼＬ字状を有する。凸部３１の下部は、受入部３０の一方の溝側面に接続され、一方の溝側面から他方の溝側面に向けて延びる。すなわち、凸部３１の下部は、受入部３０の底面と、受入部３０の溝側面とに支持されている。凸部３１の上部３２は、凸部３１の下部から上方に向けて延びる。凸部３１の高さは、受入部３０の高さよりも短く、帯板本体２１の厚さとほぼ等しい。長側壁１３の延在方向において、凸部３１の長さは、受入部３０の長さよりも短い。
【００２２】
凸部３１の内面は、本体１１の内方に向けて突き出た１つの突起３３を備える。突起３３は、長側壁１３の延在方向に沿って本体１１の内方に突き出た段差を、凸部３１の内面に形成する。突起３３は、凸部３１の高さ方向の中間に位置し、本体１１の内方に向けて突き出た半球状を有する。突起３３は、受入部３０の底面から離れている。突起３３の高さは、凸部３１の高さの１／３程度である。長側壁１３の延在方向において、突起３３の長さは、すなわち、突起３３の突き出る量は、突起３３が受入部３０からはみ出さない程度である。突起３３は、係合部の一例である。
【００２３】
短側壁１４の内面は、長側壁１３の延在方向に窪む半球状を有した１つの嵌合部３４を備える。短側壁１４の長手方向の端は、上述した組立突起１４Ｔを備え、嵌合部３４は、受入部３０に対して、この短側壁１４の端の側に位置する。嵌合部３４の高さ方向の位置は、突起３３の高さ方向の位置とほぼ等しい。すなわち、嵌合部３４は、短側壁１４の内面のなかで、受入部３０よりも短側壁１４の端の側であって、かつ、高さ方向の位置が受入部３０とほぼ等しい位置に、長側壁１３の延在方向に窪む段差を形成する。
【００２４】
［嵌込部４０］
図５は、帯板２０の長手方向の端を斜め下方から見た斜視図であって、嵌込部４０の斜視構造を拡大して示す図である。
図５が示すように、帯板２０の長手方向の各端は、長側壁１３の延在方向に突き出る凸状を有した１つの嵌込部４０を備える。嵌込部４０が受入部３０に嵌る状態で、嵌込部４０の高さは、受入部３０の高さよりも短い。長側壁１３の延在方向において、嵌込部４０の長さは、受入部３０の長さとほぼ等しい。嵌込部４０は、嵌込部４０が受入部３０に嵌る状態で、すなわち、帯板２０が被覆位置に位置する状態で、嵌込部４０を高さ方向に貫通する嵌込孔４１を備える。嵌込孔４１は、嵌込部４０の区画する空間の一例であり、嵌込部４０の底面に嵌込開口４３を区画する。嵌込孔４１は、帯板２０の短手方向において、嵌込部４０の一部を切り欠き、嵌込開口４３に繋がる開口を有する。短側壁１４の長手方向において、嵌込開口４３の長さは、凸部３１の長さとほぼ等しい。長側壁１３の延在方向において、嵌込開口４３の長さは、凸部３１の長さよりも長い。
【００２５】
嵌込部４０は、嵌込開口４３から嵌込開口４３の内方に突き出た突起４４を備える。突起４４は、帯板２０が被覆位置に位置する状態で、嵌込開口４３から上方に進むに連れて、長側壁１３の延在方向に突き出る斜面を備える。嵌込部４０は、嵌込部４０が受入部３０に嵌る状態で、突起４４の上方に、高さ方向に延びる係合溝４５を備える。短側壁１４の長手方向において、係合溝４５の幅は、突起３３の幅よりも長い。長側壁１３の延在方向において、係合溝４５の深さは、突起３３の突き出る量よりも大きい。突起４４は、被係合部の一例である。
【００２６】
帯板２０の長手方向の端面は、帯板２０の延在方向に突き出る半球状を有した１つの被嵌合部４２を備える。被嵌合部４２は、帯板２０の長手方向の端面のなかで、嵌込部４０よりも帯板回動部２２の側に位置し、長側壁１３の延在方向に突き出る段差を形成する。被嵌合部４２は、短側壁１４の嵌合部３４と嵌合可能な形状を有し、帯板２０が被覆位置に位置する状態では、短側壁１４の嵌合部３４と嵌合する。
【００２７】
［折畳み式運搬用容器の組み立て］
折畳み式運搬用容器を組み立てる際には、まず、対向する一対の長側壁１３を９０度回動させて長側支持辺１２Ｌの上端に立設させ、次いで、対向する一対の短側壁１４を同様に回動させて短側支持辺１２Ｓの上端に立設させる。このとき、長側壁１３の組立孔部１３Ｈに、短側壁１４の組立突起１４Ｔが嵌め込まれる。最後に、対向する一対の帯板２０を本体１１の内方に回動させて、短側壁１４の受入部３０に、帯板２０の嵌込部４０が嵌め込まれる。この際、受入部３０の凸部３１は、嵌込部４０の嵌込開口４３を通して、嵌込孔４１の内部に収容される。
【００２８】
組み立てられた状態の本体１１では、対向する一対の長側壁１３の両端において、長側壁１３の内面は、短側壁１４の端に当接した状態で配置されている。これによって、長側壁１３が本体１１の内方に回動することが規制されている。また、対向する一対の長側壁１３の両端において、長側壁１３の組立孔部１３Ｈに、短側壁１４の組立突起１４Ｔが嵌め込まれている。これによって、長側壁１３が本体１１の外方に回動することが規制されている。したがって、組み立てられた状態の本体１１では、各長側壁１３は、本体１１の内方、および、外方のいずれの方向にも回動規制され、長側支持辺１２Ｌの上で垂直方向に立設固定される。
【００２９】
一方、対向する一対の短側壁１４の両端において、短側壁１４の組立突起１４Ｔは、本体１１の内方から外方に向けて、長側壁１３の組立孔部１３Ｈに嵌め込まれて、短側壁１４の外面が、長側壁１３の内面と当接した状態で配置されている。これによって、短側壁１４が本体１１の外方に回動することが規制されている。また、帯板本体２１の嵌込部４０が、短側壁１４の受入部３０に嵌められて、短側壁１４の内面が、帯板２０の端面に当接した状態で配置されている。これによって、短側壁１４が本体１１の内方に回動することが規制されている。したがって、組み立てられた状態の本体１１では、帯板２０が被覆位置に位置するとき、各短側壁１４は、本体１１の内方、および、外方のいずれの方向にも回動規制され、短側支持辺１２Ｓの上で垂直方向に立設固定される。
【００３０】
また、組み立てられた状態の本体１１が多段に積み上げられて使用される際には、上側に位置する本体１１は、下側に位置する本体１１の長側壁１３の上縁、および、短側壁１４の上縁の上に載置される。このとき、上側に位置する本体１１の底壁１２の下面と、下側に位置する本体１１の帯板回動部２２との間には、隙間が形成される。同様に、上側に位置する本体１１の底壁１２の下面と、下側に位置する本体１１の帯板本体２１との間にも、隙間が形成される。したがって、本体１１を多段に積み重ねた状態においては、下側に位置する本体１１の帯板２０は、上側の本体１１に対して非接触の状態となる。
【００３１】
なお、組み立てられた状態の本体１１を折畳む際には、まず、嵌込部４０と受入部３０との嵌合を解除しつつ、一対の帯板２０を本体１１の内方から上方に向けて回動させる。次いで、一対の短側壁１４を本体１１の内方に９０度回動させた後、一対の長側壁１３を本体１１の内方へ９０度回動させ、それによって、一対の短側壁１４と一対の長側壁１３とを折畳む。また、折畳まれた状態の本体１１を多段に積み重ねることも可能である。
【００３２】
［作用］
次に、組み立てられた折畳み式運搬用容器の作用について説明する。図５、および、図６は、組み立てられた折畳み式運搬用容器の受入部３０、および、嵌込部４０を、長側壁１３の延在方向に沿って切断した断面を示す断面図である。
【００３３】
図６が示すように、組み立てられた折畳み式運搬用容器では、帯板２０の嵌込部４０は、受入部３０の底面に当接し、あるいは、本体１１の内方への外力を受けて当接し、本体１１の内方へのさらなる回動が規制されている。また、帯板２０の嵌込部４０は、短側壁１４の長手方向へのさらなる変位を、受入部３０の溝側面によって規制されている。これら受入部３０と嵌込部４０との嵌合によれば、受入部３０に対する嵌込部４０の位置が、短側壁１４の長手方向、および、高さ方向で位置決めされている。
【００３４】
また、短側壁１４の凸部３１は、帯板２０の嵌込孔４１の内部に収容されている。凸部３１の上部３２は、嵌込孔４１からはみ出さない状態であり、凸部３１の突起３３は、嵌込部４０の突起４４から、長側壁１３の延在方向で離れ、かつ、嵌込部４０の係合溝４５とは、長側壁１３の延在方向で対向している。そして、受入部３０の突起３３と、嵌込部４０の突起４４との相対的な位置もまた、短側壁１４の長手方向、および、高さ方向でずれ難くなっている。
【００３５】
ここで、内容物を収容した本体１１の各短側壁１４を把持して、この状態で折畳み式運搬用容器を手で持って運ぶとき、内容物の荷重を受けた本体１１に捻れが生じ、各短側壁１４が本体１１の内方に向けて撓むように、各短側壁が変形する。各短側壁１４がこのように変形すると、短側壁１４の間での距離が、短側壁１４の近傍においても縮小し、結果として、帯板２０の長さを縮小させるような外力が、被覆位置に位置する帯板２０を開放位置に回動させるように作用する。
【００３６】
一方、図７の二点鎖線が示すように、各短側壁１４が本体１１の内方に向けて撓むように、各短側壁が変形すると、この変形に伴い、短側壁１４の凸部３１は、本体１１の内方に変位する。すなわち、短側壁１４の凸部３１は、長側壁１３の延在方向で対向する係合溝４５に入り込み、短側壁１４の突起３３は、帯板２０の突起４４の上方に変位する。結果として、被覆位置に位置する帯板２０が、開放位置に向けて回動する前に、突起３３と突起４４との係合を通じて、帯板２０の回動が抑えられる。そして、折畳み式運搬用容器を手で持って運ぶときに被覆位置の帯板２０が開放位置に変位することが抑えられる。
【００３７】
また、図８が示すように、組み立てられた折畳み式運搬用容器では、帯板２０の被嵌合部４２が、短側壁１４の嵌合部３４と嵌合している。上述したように、一対の短側壁１４の間での距離の変化は、短側壁１４の長手方向において、長側壁１３や帯板回動部２２に近い部位ほど小さい。この点、被嵌合部４２と嵌合部３４との嵌合は、突起３３と突起４４との係合よりも帯板回動部２２の側で実現される。そのため、被嵌合部４２と嵌合部３４との嵌合は、一対の短側壁１４の間での距離の縮小や、一対の短側壁１４の間での距離の拡大などに対して、突起３３と突起４４との係合よりも影響を受け難く、これらの嵌合を維持することが可能でもある。
【００３８】
以上、上記実施形態によれば、以下に列挙する効果が得られる。
（１）短側壁１４が本体１１の内方に撓む状態では、帯板２０の突起４４が、短側壁１４の突起３３の下方に位置する。そのため、折畳み式運搬用容器を手で持って運ぶときに、被覆位置の帯板２０が開放位置に変位することは、突起４４と突起３３との係合を通じて抑えられる。
【００３９】
（２）被覆位置の帯板２０が開放位置に変位することは、帯板２０の被嵌合部４２と、短側壁１４の嵌合部３４との嵌合を通じて、さらに抑えられる。
【００４０】
（３）被嵌合部４２と嵌合部３４との嵌合は、突起３３と突起４４との係合よりも帯板回動部２２の側で実現される。そのため、一対の短側壁１４の間での距離の縮小や拡大などに対して、被嵌合部４２と嵌合部３４との嵌合は影響を受け難く、これらの嵌合を維持することが可能でもある。
【００４１】
（４）受入部３０と嵌込部４０との嵌合は、突起３３と突起４４との相対的な位置を、高さ方向や帯板２０の短手方向でずれ難くする。結果として、上記（１）に準じた効果を、より的確に得ることが可能ともなる。
【００４２】
（５）嵌合部３４は、短側壁１４の内面で窪む凹部であり、かつ、突起３３は、受入部３０のなかに収まり、短側壁１４の内面からは突き出ない大きさである。そのため、本体１１から内容物が取り出される際に、内容物が突起３３に引っ掛かったり、内容物が嵌合部３４に引っ掛かったりすることを防止できる。
【００４３】
なお、上記実施形態は、次のように変更して実施することも可能である。
［帯板２０］
・一対の帯板２０が本体１１の開口の全体を被覆するように、各帯板２０の大きさを具体化することも可能である。
・帯板２０の開放位置は、帯板２０が本体１１の上方に配向して、本体１１の開口を開放する位置であり、本体１１への内容物の収納や、本体１１からの内容物の取り出しの容易性を高められる観点から、帯板２０と長側壁１３とが相互に平行となる位置であることが好ましい。
【００４４】
・各帯板回動部２２の構成は、長側壁１３と帯板２０とを接続する薄肉ヒンジに具体化できる。なお、長側壁１３の軸支部１３Ｓが帯板２０の回動軸２２Ａを軸支する構成であれば、帯板２０の回動する範囲を広く確保することが容易であり、薄肉ヒンジと比べて帯板回動部２２の強度を高めることが可能でもある。
【００４５】
［受入部３０］
・受入部３０の高さは、軸支部１３Ｓの高さと異なることも可能である。例えば、嵌込部４０の厚さが、帯板回動部２２の厚さよりも大きい場合、受入部３０の高さは、軸支部１３Ｓの高さよりも大きいことが好ましい。
【００４６】
・受入部３０と嵌合部３４との並びの順は、短側壁１４の長手方向において、帯板回動部２２、嵌合部３４、受入部３０の順に限らず、帯板回動部２２、受入部３０、嵌合部３４の順にも具体化できる。この際、嵌込部４０と被嵌合部４２との並びの順は、帯板回動部２２、嵌込部４０、被嵌合部４２の側に具体化される。
なお、上述した一対の短側壁１４の間での距離の変化は、長側壁１３の近傍では小さく、短側壁１４の長手方向の中間では大きい。一対の短側壁１４の間での距離の変化は、長側壁１３の延在方向への突起３３の変位であり、この変位量が大きいほど、突起３３と突起４４との係合する範囲も大きい。そのため、突起３３と突起４４との係合する範囲を大きく確保し、それによって、帯板２０の回動を抑える観点では、上記実施形態に記載のように、帯板回動部２２、嵌合部３４、受入部３０の順に、これらが位置することが好ましい。
【００４７】
・受入部３０の大きさは、短側壁１４の上端において、短側壁１４の厚み方向の全体に限らず、例えば、短側壁１４の厚み方向の一部のみであって、短側壁１４の内面につながる窪みとすることも可能である。この際、帯板２０の嵌込部４０は、短側壁１４の外面よりも本体１１の内方に位置し、被覆位置の帯板２０は、短側壁１４の外面よりも本体１１の内方に嵌まり込む。
【００４８】
・受入部３０は、短側壁１４の上端において、上方に向けて突き出る凸部とすることも可能である。この際、帯板２０の長手方向の端部は、受入部３０が嵌め込まれる凹部を嵌込部として備える。なお、受入部３０は、例えば、凸部の頂面や凸部の側面に、内方に向けて突き出る係合部を備え、受入部３０が嵌め込まれる嵌込部は、凹部の内面に、本体の外方に突き出る被係合部を備える。
・また、例えば、受入部３０は、短側壁１４の上端において、四辺を囲まれた凹部とすることも可能である。この際、帯板２０の長手方向の端部は、受入部３０に嵌め込まれる下方に向けた凸部を嵌合部として備える。なお、受入部３０は、例えば、凹部の内側面や凹部の底面に、内方に向けて突き出る係合部を備え、受入部３０に嵌め込まれる嵌込部は、凸部の外面に、本体の外方に突き出る被係合部を備える。
【００４９】
［係合部］
・突起３３と突起４４との相対的な位置は、短側壁１４に外力が作用する状態のみならず、短側壁１４から外力が解除された状態であっても、突起４４が突起３３の下方に位置する関係とすることも可能である。
なお、上記実施形態に記載のように、短側壁１４に外力が作用し、それによって、突起３３が突起４４の上方に位置する構成であれば、短側壁１４から外力が解除された状態では、突起３３と突起４４との係合も解除される。そのため、被覆位置の帯板２０を開放位置に回動させること、および、開放位置の帯板２０を被覆位置に回動させることを、突起３３と突起４４との係合に関わらず、円滑に進めることが可能でもある。
【００５０】
・突起３３の位置は、短側壁１４の内面のなかで、受入部３０とは異なる位置に具体化することも可能である。この際、突起４４の位置もまた、帯板２０の端面のなかで、嵌込部４０とは異なる位置であって、帯板２０が被覆位置に位置する状態では、長側壁１３の延在方向で、突起３３と対向する位置である。なお、短側壁１４が突起３３を備え、かつ、帯板２０が突起４４を備える構成であれば、受入部３０と嵌込部４０とを、折畳み式運搬用容器から割愛することも可能である。
【００５１】
・係合部が有する形状は、半球状に限らず、長側壁１３の延在方向に沿って、本体の内方に突き出る板状や鍔状に具体化することも可能である。この際、被係合部が有する形状は、係合部の形状に応じて適宜選択されるものであり、短側壁１４を本体１１の内方に撓ませる外力が作用する状態で、係合部の下方に位置する部分を備える形状であればよい。
・短側壁１４は、短側壁１４の長手方向に並ぶ複数の係合部を備えることも可能である。この際、帯板２０は、各係合部に１つずつの被係合部を備える。
【００５２】
［嵌合部］
・嵌合部３４の形状は、本体１１の外方に向けて窪む半球面状に限らず、例えば、本体１１の外側下方に向けて窪む楔状に具体化することも可能である。この際、帯板２０の長手方向の端面は、長手方向の外方に向けて突き出た凸状の被嵌合部４２を備える。
【００５３】
・嵌合部３４は、本体１１の内方に向けて突き出た半球面状の凸部に具体化することも可能である。この際、帯板２０の長手方向の端面は、長手方向の内方に向けて窪む凹状の被嵌合部４２を備える。
・短側壁１４は、短側壁１４の長手方向に並ぶ複数の嵌合部３４を備えることも可能である。この際、帯板２０は、各嵌合部３４に１つずつの被嵌合部４２を備える。
【００５４】
［側壁］
・各側壁の折り畳まれる形態は、側壁の寸法に応じて適宜変更されるものであって、上記構成に限られるものではない。例えば、長側壁１３の高さが、短側壁１４の長手方向の長さの半分よりも長い構成では、一方の長側壁１３の上に、他方の長側壁１３が折り畳まれる。また、長側壁１３の高さと、帯板２０の短手方向の長さとの合計が、短側壁１４の長手方向の長さに等しい場合や、その半分の値である場合には、折り畳まれた状態のさらなる小型化を図ることが可能でもある。
【００５５】
・長側壁１３が第２側壁として機能し、短側壁１４が第１側壁として機能する構成とすることも可能である。すなわち、帯板２０が接続される側壁を短側壁１４とすることも可能である。そして、有底四角箱状を有した本体１１を備える構成であれば、本体１１の寸法や形状は、特に限定されるものではない。なお、折り畳み式運搬用容器を手で持って運ぶときに被覆位置の帯板２０が開放位置に回動するという上述の課題は、各側壁が変形しやすい折畳み式運搬用容器、すなわち、各側壁の厚みが薄く軽量化が図られた折畳み式運搬用容器において、特に起こりやすい課題である。そのため、上記（１）から（３）に準じた効果は、各側壁の厚みが薄く軽量化が図られた折畳み式運搬用容器において特に顕著なものとなる。
【００５６】
・帯板２０は、開放位置において自立可能に構成することも可能である。
・折畳み式運搬用容器は、短側壁１４の外面に、ロック部材５０（図１参照）をさらに備えることも可能である。ロック部材５０は、立設された短側壁１４の回動を規制する機能を備える。ロック部材５０は、短側壁１４の外面が備える水平リブに向けて延びる一対の弾性片５１を備える。一対の弾性片５１は、短側壁１４の長手方向の中心を通る鉛直線を中心とする線対称の形状を有し、各弾性片５１は、弾性片５１のうち下方の部位ほど上記鉛直線との距離が小さい形状、いわゆる逆ハ字状を有している。ロック部材５０は、ロック位置と、ロック位置よりも下方である非ロック位置とに変位可能に構成され、ロック部材５０が備える左右の弾性片５１と、短側壁１４が備える水平リブとの係合によって、ロック位置に付勢されている。そして、弾性片５１の付勢力に抗した外力を利用者がロック部材５０に加え、ロック部材５０が非ロック位置に変位することによって、ロック部材５０による規制が解除されて、立設された短側壁１４が回動可能となる。
【００５７】
上記実施形態、および、変形例から導き出される技術的思想を以下に付記する。
［付記１］
前記各第２側壁の上端は、下方に向けて窪む受入部をさらに備え、
前記帯板は、前記第１側壁の延在方向の両端に、前記第１側壁の延在方向に突き出る嵌込部をさらに備え、当該嵌込部は、前記帯板が前記被覆位置に位置する状態で前記受入部に嵌り、
前記受入部は、前記係合部を備え、
前記嵌込部は、前記被係合部を備える、
折畳み式運搬用容器。
【００５８】
上記付記１に記載の構成によれば、帯板が備える嵌込部は、被係合部を備え、第２側壁の上端に沿う方向では、受入部と嵌込部との嵌合を通じて、第２側壁に位置決めされる。そして、第２側壁が備える係合部と、帯板が備える被係合部とは、第１側壁の延在方向と交差する方向で、位置ずれを生し難くなる。結果として、第１側壁の延在方向に係合部が変位することによる上記（１）に準じた効果を、より的確に得ることが可能ともなる。
【００５９】
［付記２］
前記帯板が前記被覆位置に位置し、かつ、前記各側壁に対する外力が解除されている状態で、前記被係合部は、前記係合部の下方から離れている、
上記付記１に記載の折畳み式運搬用容器。
【００６０】
開放位置の帯板を被覆位置に回動させるとき、また、被覆位置の帯板を開放位置に回動させるときは、各側壁に対する外力が解除されている。上記付記２に記載の構成によれば、各側壁に対する外力が解除されている状態では、係合部の下方から被係合部が離れている。そのため、開放位置の帯板を被覆位置に回動させたり、被覆位置の帯板を開放位置に回動させたりする際に、係合部と被係合部との係合が、これらの回動の妨げとなることが抑えられる。
【００６１】
［付記３］
前記嵌合部は、前記第２側壁の内面にて前記本体の外方に向けて窪む半球面状を有した凹部であり、
前記被嵌合部は、前記延在方向における前記帯板の端面にて前記延在方向の外方に向けて突き出た半球状を有する凸部である、
折畳み式運搬用容器。
【００６２】
上記付記３に記載の構成によれば、半球面状を有した嵌合部、および、半球状を有した被嵌合部を備えるため、開放位置の帯板を被覆位置に回動させたり、被覆位置の帯板を開放位置に回動させたりする際に、嵌合部と被嵌合部との嵌合や、その解除を円滑に行うことが可能ともなる。
【符号の説明】
【００６３】
１１…本体、１２…底壁、１２Ｌ…長側支持辺、１２Ｓ…短側支持辺、１３…長側壁、１３Ｈ…孔部、１３Ｒ…側壁回動部、１３Ｓ…軸支部、１４…短側壁、１４Ｒ…側壁回動部、１４Ｔ…組立突起、２０…帯板、２１…帯板本体、２２…帯板回動部、２２Ａ…回動軸、３０…受入部、３１…凸部、３２…上部、３３…突起、３４…嵌合部、４０…嵌込部、４１…嵌込孔、４２…被嵌合部、４３…嵌込開口、４４…突起、４５…係合溝。
【図１】
2018177239.tif 000003
【図２】
2018177239.tif 000004
【図３】
2018177239.tif 000005
【図４】
2018177239.tif 000006
【図５】
2018177239.tif 000007
【図６】
2018177239.tif 000008
【図７】
2018177239.tif 000009
【図８】
2018177239.tif 000010